(57)【要約】【課題】洗濯物に効率的に風を送り込む。【解決手段】エアコン装置用物干し装置１０は、左右一対の支持枠１４をエアコン装置１の両側面に設け、この支持枠１４にカバーシート１２が設けられる。また、支持枠１４の所定の位置にカバーシート１２内に選択物を保持する物干し竿１６が取り付けられる。これにより、カバーシート１２は、エアコン装置１からの風の送風路を変更させ、物干し竿１６に掛けられた洗濯物に風を送り込むことができる。【選択図】        図１
2004167093.tif 000002
【特許請求の範囲】
【請求項１】
エアコン装置の周りに設けられ、エアコン装置からの風の送風路を変更してその内部に保持された乾燥対象物に風を送り込むカバーシートと、
前記カバーシートを支持する支持枠と、
を備えることを特徴とするエアコン装置用物干し装置。
【請求項２】
請求項１に記載のエアコン装置用物干し装置であって、
前記支持枠の所定の位置に取り付けられ、乾燥対象物を乾燥領域内に保持する物干し竿を備えることを特徴とするエアコン装置用物干し装置。
【請求項３】
請求項１に記載のエアコン装置用物干し装置であって、
前記カバーシートには、乾燥対象物を出し入れ可能な出入口が形成されていることを特徴とするエアコン装置用物干し装置。
【発明の詳細な説明】
【０００１】
【発明の属する技術分野】
本発明は、エアコン装置用物干し装置の改良に関する。
【０００２】
【従来の技術】
従来から、エアコンの風を利用して洗濯物を乾燥させることが考えられており、エアコンの風を効果的に利用するために、エアコンの送風口の前方に洗濯物を架ける物干し装置が提案されている。
【０００３】
図４は、下記特許文献１（特開平１１−９９２９７号公報）に開示された物干し装置の構成を示す図である。図４に示すように、特許文献１の物干し装置では、物干し杆４０が支持手段４２によりエアコン装置１の前方に保持されている。支持手段４２は、固定杆４４、傾斜杆４６、突っ張り杆４８を備え、物干し杆４０は、エアコン装置１の上側後端に沿って左右方向に配置された固定杆４４の両端部からエアコン装置１の側面に配置された左右一対の傾斜杆４６間に配置される。更に、物干し杆４０の左右両端部から後方に延ばされた左右一対の突っ張り杆４８の後端が壁に当接される。これにより、洗濯物を物干し杆４０に掛けてエアコン装置１の前方に洗濯物を保持させることができ、また洗濯物の荷重で突っ張り杆４８を壁に略垂直に押圧することができ、その荷重を支えることができる。
【０００４】
【特許文献１】
特開平１１−９９２９７号公報（段落０００６、図１）
【０００５】
【発明が解決しようとする課題】
しかしながら、特許文献１の物干し装置では、エアコン装置１の前方へ洗濯物を保持することができるが、エアコン装置１からの風の送風路の調整はなされていない。すなわち、エアコン装置１からの風が洗濯物に当たらずに部屋全体に拡散してしまうことがある。また、エアコン装置１の吹き出し口に近い洗濯物には良く風が当たるが、エアコン装置１の吹き出し口から遠い部分には風が当たらないという問題がある。
【０００６】
そこで、本発明は、上記課題を解決するためになされたもので、エアコンの風を効率的に洗濯物に送り込むエアコン装置用物干し装置を提供することを目的とする。
【０００７】
【課題を解決するための手段】
本発明のエアコン装置用物干し装置は、エアコン装置の周りに設けられ、エアコン装置からの風の送風路を変更してその内部に保持された乾燥対象物に風を送り込むカバーシートと、カバーシートを支持する支持枠と、を備えることを特徴とする。
【０００８】
また、本発明のエアコン装置用物干し装置は、支持枠の所定の位置に取り付けられ、乾燥対象物を乾燥領域内に保持する物干し竿を備えることを特徴とする。
【０００９】
更に、本発明のエアコン装置用物干し装置のカバーシートには、乾燥対象物を出し入れ可能な出入口が形成されていることを特徴とする。
【００１０】
【発明の実施の形態】
以下、本発明の好適な実施の形態（以下、実施形態という）について、図面を参照し説明する。
【００１１】
図１は、実施形態のエアコン装置用物干し装置を示す図である。
【００１２】
図１に示すように、エアコン装置用物干し装置１０は、エアコン装置１の周りに設けられ、乾燥対象物にエアコン装置１からの風を乾燥対象物に送り込むカバーシート１２と、カバーシート１２を支持する支持枠１４と、支持枠１４の所定の位置に取り付けられ、乾燥対象物をカバーシート１２内に保持する物干し竿１６と、で構成されている。
【００１３】
本発明において特徴的なことは、エアコン装置１の周りにカバーシート１２が設けられている点である。本実施形態において、カバーシート１２は、例えば、上端が開放された袋状のビニールシートからなる。カバーシート１２の上縁には、支持枠１４に固定させるためのＳ字形のフック１８が取り付けられており、このフック１８が後述するエアコン装置１の側面に沿って配置される左右一対の支持枠１４に引っ掛けられる。これにより、エアコン装置１の周り、特にエアコン装置１の送風口の周りにカバーシート１２を設けることができ、カバーシート１２内の空間を部屋全体の空間から遮り、乾燥対象物、すなわち洗濯物のための乾燥領域を形成することができる。これより、エアコン装置１からの風が部屋全体に逃げる前にその風を洗濯物に通すことができる。すなわち、カバーシート１２は、エアコン装置１からの風の送風路を変更させ、カバーシート１２内に保持された洗濯物に風を送り込むことができる。この結果、エアコン装置１からの風を洗濯物に当てることができ、効率的に洗濯物を乾燥させることができる。
【００１４】
また、図１に示すように、カバーシート１２には、洗濯物を出し入れするための出入口２０が形成されている。本実施形態においては、出入口２０は、ジッパー２０で構成されており、カバーシート１２の前面の一側面に設けられている。これにより、カバーシート１２を支持枠１４から取り外さなくても、洗濯物をカバーシート１２内に保持し、乾燥した洗濯物を取り出すことができる。従って、洗濯物の出し入れを楽にすることができる。
【００１５】
次に、支持枠１４について説明する。図２は、本実施形態の支持枠１４の構成を示す図である。本実施形態においては、左右一対の支持枠１４がエアコン装置１の両側面に配置されている。図２には、右側面に配置された支持枠１４のみ現されている。図２に示すように、支持枠１４の後端は、公知の手段によってエアコン装置１に固定される。支持枠１４は、伸縮調整可能に構成することが好ましい。例えば、図２に示すように、本実施形態においては、円筒状の外筒２２と、この外筒２２の内側で摺動自在な内筒２４と、から構成されている。これにより、エアコン装置用物干し装置１０の使用時には、図１に示すように、支持枠１４の内筒２４をエアコン装置１の前方に引き出し使用状態にし、不使用時には、図２に示すように、外筒２２内に引き込めて収納状態にすることができる。また、支持枠１４の内筒２４が所定の長さに延ばされた状態で、内筒２４を外筒２２に対して摺動不能にする固定手段を設けても好適である。
【００１６】
図３は、支持枠の変形例を示す図である。図３に示すように、左右一対の支持枠２６がエアコン装置１の両側面に配置され、支持枠２６の後端が、公知の手段によってエアコン装置１が取り付けられた壁等に固定される。この変形例では、支持枠２６は、後端部２６ａを支点として矢印方向に回動可能で、点線で示す水平位置でロック可能に構成されている。これにより、エアコン装置用物干し装置１０の使用時には、支持枠２６を矢印方向に回動させ水平位置でロックし、不使用時には、実線で示すように、壁に沿って配置させ、収納状態にすることができる。また、この支持枠２６は、図２に示すような、外筒２２とその内側で摺動可能な内筒２４とで伸縮調整可能に構成しても好適である。また、支持枠２６の強度を上げるために、支持枠２６と壁の間に筋交いを設けても好適である。
【００１７】
本実施形態においては  、更に、洗濯物をカバーシート１２内に保持する物干し竿１６が備えられている。物干し竿１６は、一対の支持枠１４の所定の位置に設けられた金具２８と、その両端部を金具２８に引っ掛けて保持される吊り棒３０と、で構成されている。これにより、吊り棒３０に洗濯物を掛けて、カバーシート１２内に洗濯物を保持することができる。物干し竿１６は、支持枠１４に１つでも複数でも設けることができ、また、物干し竿１６は、汎用性を考慮して、伸縮調整可能に構成することが好ましい。また、物干し竿１６は、吊り棒３０の両端部に支持枠１４に嵌合させるための嵌合片を形成して、一対の支持枠１４間に懸架させても良い。
【００１８】
なお、上述した支持枠１４、物干し竿１６は、硬質の樹脂等で形成することができる。
【００１９】
次に、本実施形態のエアコン用物干し装置１０の作用について説明する。
【００２０】
まず、一対の支持枠１４を所定の長さまで伸ばし、一対の支持枠１４の所定の位置に物干し竿１６を取り付ける。カバーシート１２のフック１８を支持枠１４に掛けて、エアコン装置１の周りにカバーシート１２を設ける。
【００２１】
次に、カバーシート１２のジッパー２０を開け、物干し竿１６に洗濯物を掛けて、エアコン装置１を始動する。エアコン装置１からの風の送風路がカバーシート１２によって変更され、物干し竿１６に掛けられた洗濯物に風を送り込むことができる。この結果、エアコン装置１からの風を洗濯物に当てることができ、効率的に洗濯物を乾燥させることができる。
【００２２】
【発明の効果】
以上説明したように、本発明によれば、エアコン装置からの風の送風路を変更してその内部に保持された乾燥対象物に風を送り込むカバーシートを設けたので、効率的に洗濯物を乾燥させることができる。
【図面の簡単な説明】
【図１】実施形態のエアコン装置用物干し装置を示す図である。
【図２】実施形態の支持枠の構成を示す図である。
【図３】支持枠の変形例を示す図である。
【図４】従来の物干し装置の構成を示す図である。
【符号の説明】
１０  エアコン装置用物干し装置、１２  カバーシート、１４，２６  支持枠、１６  物干し竿、１８  フック、２０  出入口（ジッパー）、２２  外筒  ２４  内筒、２８  金具、３０  吊り棒。
【図１】
2004167093.tif 000003
【図２】
2004167093.tif 000004
【図３】
2004167093.tif 000005
【図４】
2004167093.tif 000006